(57)【要約】【課題】記憶媒体を装着していない装着搬送体の移動を規制することができ、装着搬送体の誤動作を防止することができる記憶媒体装着装置及び再生装置を提供する。【解決手段】記憶媒体が挿入される挿入口を有する筐体と、筐体内に移動可能に支持されており、挿入口に挿入された記憶媒体を着脱可能に装着する装着搬送体とを備え、装着搬送体は装着した記憶媒体を所定位置に搬送するようにしてある記憶媒体装着装置に、筐体に一端側が回動可能に支持されており、装着搬送体に係合する係合部を他端側に有する規制アーム２１，２２と、装着搬送体が記憶媒体を装着していない場合、装着搬送体及び規制手段が係合する係合位置へ規制アーム２１，２２を回動させ、装着搬送体が記憶媒体を装着した場合、非係合位置へ規制アーム２１，２２を回動させる可撓性舌片とを備える。【選択図】図２
2007323780.tif 000002
【特許請求の範囲】
【請求項１】
記憶媒体が挿入される挿入口を有する筐体と、該筐体内に移動可能に支持されており、前記挿入口に挿入された記憶媒体を着脱可能に装着する装着体とを備え、該装着体は装着した記憶媒体を所定位置に搬送するようにしてある記憶媒体装着装置において、
前記装着体に係脱可能に係合することで、前記装着体の移動を規制する規制手段と、
前記装着体が記憶媒体を装着していない場合、前記装着体及び前記規制手段が係合する係合位置へ前記規制手段を移動させ、前記装着体が記憶媒体を装着した場合、非係合位置へ前記規制手段を移動させる規制解除手段と
を備えることを特徴とする記憶媒体装着装置。
【請求項２】
前記規制手段は、
前記筐体に一端側が回動可能に支持されており、前記装着体に係合する係合部を他端側に有する規制アームを備え、
前記規制解除手段は、
前記装着体に設けられており、記憶媒体の挿入に応動して前記規制アームに当接し、前記係合部を前記装着体から脱離させる方向へ変位する弾性体を備える
ことを特徴とする請求項１に記載の記憶媒体装着装置。
【請求項３】
前記規制手段は、
前記筐体に一端側が固定されており、前記装着体に係合する係合部を他端側に有する可撓性の規制アームを備え、
前記規制解除手段は、
前記装着体に設けられており、記憶媒体の挿入に応動して前記規制アームに当接し、前記係合部を前記装着体から脱離させる方向へ変位する弾性体を備える
ことを特徴とする請求項１に記載の記憶媒体装着装置。
【請求項４】
前記弾性体は、
前記装着体に一体形成された板ばねである
ことを特徴とする請求項２又は請求項３に記載の記憶媒体装着装置。
【請求項５】
前記規制アーム及び前記弾性体の組は複数であり、記憶媒体の挿入方向に対して非平行な方向に並設されている
ことを特徴とする請求項２乃至請求項４のいずれか一つに記載の記憶媒体装着装置。
【請求項６】
請求項１乃至請求項５のいずれか一つに記載の記憶媒体装着装置を備え、
該記憶媒体装着装置が装着した記憶媒体のデータを再生するようにしてある
ことを特徴とする再生装置。
【発明の詳細な説明】
【技術分野】
【０００１】
本発明は、挿入口を有する筐体内に移動可能に支持されており、挿入口に挿入された記憶媒体を装着して、所定位置に搬送する装着体を備えた記憶媒体装着装置及び再生装置に関する。
【背景技術】
【０００２】
ｉＶＤＲ（information Versatile Disk for Removable usage）と称される記憶媒体を着脱自在に装着し、データを再生する再生装置が提案されている（例えば、非特許文献１）。
【０００３】
ｉＶＤＲは、扁平略直方体のカートリッジ内部にハードディスク装置を収容し、背面凹部に接続端子を突設してなる持ち運び可能な記憶媒体である。
【０００４】
また、ｉＶＤＲの取り出しを容易にすべくエジェクト釦を設けた再生装置が提案されている（例えば、特許文献１）。
【０００５】
更に、筐体の挿入口に挿入された記憶媒体を装着する装着体が筐体内部に移動可能に支持されており、挿入された記憶媒体によって装着体が背面側の所定位置へ移動した場合、装着体を筐体の背面側へ電動で搬送し、記憶媒体の接続端子と筐体内部に設けられた接続部とを接続する搬送機構を備えた記憶媒体装着装置が提案されている（例えば、特許文献２）。
【特許文献１】特開２００３−２２８４４７号公報
【特許文献２】特開２００４−１６５０７１号公報
【非特許文献１】”ｉＶＤＲ規格  ＵＳＢ２．０／１．１対応アダプター”、［ｏｎｌｉｎｅ］、平成１６年、株式会社アイ・オー・データ機器、［平成１７年９月１０日検索］、インターネット＜ＵＲＬ：http://www.iodata.jp/prod/storage/hdd/2004/usb2-ivdr＞
【発明の開示】
【発明が解決しようとする課題】
【０００６】
しかしながら、従来の記憶媒体装着装置においては、挿入口に異物が挿入されて装着体が挿入方向へ移動した場合、記憶媒体を装着しないまま装着体が搬送される誤差動が生ずる虞があった。
【０００７】
本発明は、斯かる事情に鑑みてなされたものであり、装着体に係脱可能に係合することで装着体の移動を規制する規制手段、及び装着体が記憶媒体を装着した場合、装着体及び規制手段の係合を解除する解除位置へ規制手段を移動させる規制解除手段を備えることにより、記憶媒体を装着していない装着体の移動を規制することができ、装着体の誤動作を防止することができる記憶媒体装着装置及び該記憶媒体装着装置を備えた再生装置を提供することを目的とする。
【０００８】
本発明の他の目的は、筐体に一端側が回動可能に支持されており、装着体に係合する係合部を他端側に有する規制アームと、装着体に設けられており、記憶媒体の挿入に応動して規制アームに当接し、係合部を装着体から脱離させる方向へ変位する弾性体とで、規制手段及び規制解除手段を夫々構成することにより、簡単な構成で装着体の移動を規制することができ、装着体の誤動作を防止することができる記憶媒体装着装置及び該記憶媒体装着装置を備えた再生装置を提供することにある。
【０００９】
本発明の他の目的は、筐体に一端側が固定されており、装着体に係合する係合部を他端側に有する可撓性の規制アームと、装着体に設けられており、記憶媒体の挿入に応動して規制アームに当接し、係合部を装着体から脱離させる方向へ変位する弾性体とで、規制手段及び規制解除手段を夫々構成することにより、規制アームを支持する回動機構を備える場合に比べて、より低コストで規制手段を構成することができ、また記憶媒体装着装置の寸法をより小さく構成することができる記憶媒体装着装置及び該記憶媒体装着装置を備えた再生装置を提供することにある。
【００１０】
本発明の他の目的は、弾性体を、筐体と一体形成された板ばねで構成することにより、規制解除手段をより低コストで構成することができる記憶媒体装着装置及び該記憶媒体装着装置を備えた再生装置を提供することを目的とする。
【００１１】
本発明の他の目的は、規制アーム及び弾性体の組を複数備え、各組を記憶媒体の挿入方向に対して非平行な方向に並設することにより、単一の規制手段及び規制解除手段を備える場合に比べ、より効果的に装着体の誤動作を防止することができる記憶媒体装着装置及び該記憶媒体装着装置を備えた再生装置を提供することにある。
【課題を解決するための手段】
【００１２】
本発明に係る記憶媒体装着装置は、記憶媒体が挿入される挿入口を有する筐体と、該筐体内に移動可能に支持されており、前記挿入口に挿入された記憶媒体を着脱可能に装着する装着体とを備え、該装着体は装着した記憶媒体を所定位置に搬送するようにしてある記憶媒体装着装置において、前記装着体に係脱可能に係合することで、前記装着体の移動を規制する規制手段と、前記装着体が記憶媒体を装着していない場合、前記装着体及び前記規制手段が係合する係合位置へ前記規制手段を移動させ、前記装着体が記憶媒体を装着した場合、非係合位置へ前記規制手段を移動させる規制解除手段とを備えることを特徴とする記憶媒体装着装置。
【００１３】
本発明に係る記憶媒体装着装置は、前記規制手段は、前記筐体に一端側が回動可能に支持されており、前記装着体に係合する係合部を他端側に有する規制アームを備え、前記規制解除手段は、前記装着体に設けられており、記憶媒体の挿入に応動して前記規制アームに当接し、前記係合部を前記装着体から脱離させる方向へ変位する弾性体を備えることを特徴とする。
【００１４】
本発明に係る記憶媒体装着装置は、前記規制手段は、前記筐体に一端側が固定されており、前記装着体に係合する係合部を他端側に有する可撓性の規制アームを備え、前記規制解除手段は、前記装着体に設けられており、記憶媒体の挿入に応動して前記規制アームに当接し、前記係合部を前記装着体から脱離させる方向へ変位する弾性体を備えることを特徴とする。
【００１５】
本発明に係る記憶媒体装着装置は、前記弾性体は、前記装着体に一体形成された板ばねであることを特徴とする。
【００１６】
本発明に係る記憶媒体装着装置は、前記規制アーム及び前記弾性体の組は複数であり、記憶媒体の挿入方向に対して非平行な方向に並設されていることを特徴とする。
【００１７】
本発明に係る再生装置は、上述のいずれか一つの記憶媒体装着装置を備え、該記憶媒体装着装置が装着した記憶媒体のデータを再生するようにしてあることを特徴とする。
【００１８】
本発明にあっては、装着体が記憶媒体を装着していない場合、規制解除手段は、係合位置へ規制手段を移動させるため、装着体の移動は規制手段によって規制される。筐体の挿入口に挿入された記憶媒体を装着体が装着した場合、規制解除手段は、非係合位置へ規制手段を移動させるため、装着体は移動可能になる。
【００１９】
本発明にあっては、規制手段は、一端側が筐体に回動可能に支持されている規制アームを備えており、装着体が記憶媒体を装着していない場合、規制アームが他端側に有する係合部と装着体とが係合する。係合部と装着体とが係合した場合、装着体の移動は規制される。
規制解除手段は装着体に設けられた弾性体を備えており、弾性体は、挿入口に挿入された記憶媒体の挿入に応動して、規制アームに当接し、係合部が装着体から脱離する方向へ規制アームを回動させる。規制アームが回動し、係合部が装着体から脱離した場合、装着体は移動可能になる。
従って、記憶媒体を装着していない装着体の移動を規制することができる。
【００２０】
本発明にあっては、規制手段は、一端側が筐体に固定されている可撓性の規制アームを備えており、装着体が記憶媒体を装着していない場合、規制アームが他端側に有する係合部と装着体とが係合する。係合部と装着体とが係合した場合、装着体の移動は規制される。
規制解除手段は装着体に設けられた弾性体を備えており、弾性体は、挿入口に挿入された記憶媒体の挿入に応動して、規制アームに当接し、係合部が装着体から脱離する方向へ規制アームを変位させる。規制アームが弾性力に逆らって変位し、係合部が装着体から脱離した場合、装着体は移動可能になる。
従って、記憶媒体を装着していない装着体の移動を規制することができる。
また、係合部を装着体から脱離させるためには、規制アームを弾性力に逆らって変位させる必要があるため、記憶媒体装着装置の姿勢を変化させても規制アームが重力によって変位し、係合部が弾性体から脱離することはない。
従って、記憶媒体装着装置の姿勢に関わらず、装着体の移動は規制される。
更に、規制アームの一端側は、筐体に固定された可撓性部材で構成されている。従って、規制アームの一端側に回動機構を備える場合に比べて、より低コストで規制アームを構成することができる。また、回動機構を備える場合に比べて、記憶媒体装着装置の寸法をより小さく構成することができる。
【００２１】
本発明にあっては、弾性体は板ばねであり、弾性体及び装着体は一体形成されている。従って、弾性体を別体で構成する場合に比べて、規制解除手段をより低コストで構成することができる。
なお、装着体が装着した記憶媒体を押圧保持する板ばねと規制解除手段とを兼用するように構成した場合、より低コストで規制解除手段を構成することができる。
【００２２】
本発明にあっては、記憶媒体の挿入方向に対して非平行な方向に規制アーム及び弾性体の組が複数並設されている。従って、すべての規制アームを回動又は変位させて、係合部を装着体から脱離させない限り装着体の移動は規制される。
従って、所定形状の記憶媒体が所定方向から挿入された場合、すべての規制アームが回動して、係合部が装着体から脱離し、装着体が移動可能になる。ところが、非所定方向から挿入された場合、一部の係合部は装着体から脱離せず、装着体の移動は規制される。
【発明の効果】
【００２３】
本発明によれば、記憶媒体を装着していない装着体の移動を規制することができ、装着体の誤動作を防止することができる。
【００２４】
本発明によれば、規制アーム及び弾性体を備えた簡単な構成で、記憶媒体を装着していない装着体の移動を規制することができ、装着体の誤動作を防止することができる。
【００２５】
本発明によれば、回動機構を備える場合に比べて、より低コストで規制アームを構成することができる。
また、回動機構を備える場合に比べて、記憶媒体装着装置の寸法をより小さく構成することができる。
更に、記憶媒体装着装置の姿勢に関わらず、装着体の移動を規制することができる。
【００２６】
本発明によれば、装着体と弾性体とを一体形成することにより、規制解除手段を低コストで構成することができる。
【００２７】
本発明によれば、単一の規制手段及び規制解除手段を備える場合に比べ、より効果的に装着体の誤動作を防止することができる。例えば、記憶媒体が挿入されても、挿入方向が誤っているような場合、装着体の規制状態は解除されない。
【発明を実施するための最良の形態】
【００２８】
以下、本発明をその実施の形態を示す図面に基づいて詳述する。
（実施の形態１）
図１は、本発明の実施の形態１に係る再生装置１の略示斜視図である。図中１０は、再生装置１を構成する略直方体の収容体であり、収容体１０は、カートリッジ式の記憶媒体３を装着する記憶媒体装着装置２を収容している。
【００２９】
記憶媒体３は、例えばｉＶＤＲであり、ハードディスクを収容した扁平略直方体のカートリッジを備えている。カートリッジの背面には、凹部が形成されており、該凹部の内部から背面側へ接続端子が突出している。
【００３０】
図２は、記憶媒体装着装置２の要部を示す略示斜視図、図３及び図４は、記憶媒体装着装置２の要部を示す略示分解斜視図、図５は、記憶媒体装着装置２の略示分解平面図である。
【００３１】
記憶媒体装着装置２は、略直方体の筐体２０を備えている。筐体２０は、図５に示すように、略矩形の底板２０ａを有しており、側壁２０ｂ、２０ｃが曲成されている。底板２０ａの正面側には、図１に示すように記憶媒体３が挿入される矩形の挿入口２０ｄを形成した正面壁２０ｅが設けられ、背面側には、図５に示すように記憶媒体３の接続端子と接続する接続部２４が配設されている。
再生装置１の収容体１０は、図１に示すように、記憶媒体装着装置２の正面壁２０ｅに倣う矩形の開口を正面側に形成しており、正面壁２０ｅが開口から外側を臨むように記憶媒体装着装置２を保持している。
また、収容体１０は、記憶媒体装着装置２が装着した記憶媒体３からデータを読み出し、再生する図示しない再生部、データ処理部、出力部等を備えており、記憶媒体３のデータを再生するように構成されている。
【００３２】
筐体２０は、挿入口２０ｄから挿入された記憶媒体３を装着し、装着した記憶媒体３を接続部２４側へ搬送する装着搬送体２３及び搬送機構２５を収容している。筐体２０の側壁２０ｂ、２０ｃには、装着搬送体２３を前後方向へ移動可能に支持する案内レール２５ａ、２５ｂが設けられている。
【００３３】
搬送機構２５は、図５に示すように、底板２０ａに設けられていて、正面側移動端よりも所定長背面側に装着搬送体２３が移動した場合、装着搬送体２３を挿入口２０ｄ側から接続部２４側へ搬送し、また背面側から正面側へ搬送するモータ、歯車、カム等で構成されている。
【００３４】
また、両側壁２０ｂ、２０ｃの上端には、図２乃至図４に示すように、平面視で底板２０ａと同形の筐体天板２０ｆが配されている。筐体天板２０ｆの正面側における横方向両端側には、装着搬送体２３の移動を規制する規制アーム２１、２２が設けられている。
以下、図２中、筐体天板２０ｆの右側に設けられた一の規制アーム２１について説明する。
【００３５】
図６は、記憶媒体装着装置２の外側上方から見た一の規制アーム２１の略示斜視図、図７は、規制アーム２１の略示斜視図である。
【００３６】
規制アーム２１は、略円柱形の基部２１ａを有している。基部２１ａの各端面の中心部には、回動軸２１ｂが横方向に突設されている。筐体天板２０ｆには、回動軸２１ｂを支持するための支持孔を有する２枚の支持片２０ｇが、基部２１ａを横方向から挟むように上方へ突設されており、支持アームの回動軸２１ｂは、基部２１ａの中心線が横方向を向くように支持片２０ｇによって回動可能に支持されている。
【００３７】
基部２１ａから背面側に延設された規制アーム２１の途中部分２１ｃは、四角柱状に形成され、規制アーム２１の先端部には、横方向内側及び下方へ適宜長延設されており、装着搬送体２３に係合して装着搬送体２３の移動を規制する係合突起２１ｄが形成されている。係合突起２１ｄは、側面視において、長方形の背面側下端の頂点を切り欠いた台形状をなしている。
【００３８】
また、規制アーム２１の先端部には、係合突起２１ｄの下面２１ｅより更に下方へ延設されており、記憶媒体３の装着を感知するための感知爪２１ｆが形成されている。感知爪２１ｆは、側面視において、下方に頂点を有する三角形状であり、背面側には、係合突起２１ｄに連続形成されており、装着搬送体２３の移動方向に対して傾斜する傾斜面２１ｇを有し、正面側には規制アーム２１の途中部分２１ｃに対して略垂直な面を有している。
【００３９】
筐体天板２０ｆには、平面視で規制アーム２１の基部２１ａ、途中部分２１ｃ及び係合突起２１ｄに倣う逆Ｌ字状の開口部２０ｈが形成されており、係合突起２１ｄ及び感知爪２１ｆが筐体天板２０ｆより下方内側に進入している。開口部２０ｈの側壁２０ｂ側には、鉤状規制部２０ｉが突設されていて、鉤状規制部２０ｉは、規制アーム２１の上方への回動を規制している。
【００４０】
また、規制アーム２１の先端部には、筐体天板２０ｆの外面に当接して、規制アーム２１の下方への回動を規制するための規制片２１ｈが背面側へ延設されている。規制片２１ｈの上面は、途中部分２１ｃの上面に連続しており、厚みは係合突起２１ｄよりも薄く形成されている。
【００４１】
図８は、筐体２０内部の上方から見た規制アーム２１の略示斜視図、図９は、筐体２０内部の背面側から見た規制アーム２１の略示斜視図、図１０は、装着搬送体２３を構成する搬送体天板２３ａの略示平面図である。
【００４２】
装着搬送体２３は、記憶媒体３を装着可能な四角筒状をなし、上部を構成する搬送体天板２３ａを備えている。搬送体天板２３ａは、装着搬送体２３が正面側移動端に位置している場合に規制アーム２１と上下一致する箇所に、背面側が凸になるようにＵ字状に切り込みを入れ、下方へ折り曲げてなる可撓性舌片２３ｂが曲成されている。可撓性舌片２３ｂの先端下部には、図９に示すように、装着搬送体２３に装着された記憶媒体３を、可撓性舌片２３ｂの付勢力にて押圧保持する押圧保持部２６が設けられている。
【００４３】
また、搬送体天板２３ａは、可撓性舌片２３ｂを曲成することで形成された孔部の先端側から横方向内側へ連続形成されており、係合突起２１ｄが係脱する矩形の係合孔２３ｃを有している。装着搬送体２３が正面側移動端に位置している場合、規制アーム２１の係合突起２１ｄが係合孔２３ｃに係合して装着搬送体２３の移動を規制し、規制アーム２１の感知爪２１ｆが可撓性舌片２３ｂの先端部に当接する。
【００４４】
図１１は、記憶媒体装着装置２の外側上方から見た他の規制アーム２２の略示斜視図、図１２は、筐体２０内部の上方から見た規制アーム２２の略示斜視図、図１３は、規制アーム２２の略示斜視図である。
【００４５】
正面視で筐体天板２０ｆの左側に設けられた他の規制アーム２２は、右側に設けられた規制アーム２１と左右対称形であり、規制アーム２１と同様の基部２２ａ、回動軸２２ｂ、途中部分２２ｃ、係合突起２２ｄ、下面２２ｅ、感知爪２２ｆ、傾斜面２２ｇ、規制片２２ｈを有し、規制アーム２１と同様の機構で装着搬送体２３の移動を規制するように構成されている。
【００４６】
筐体天板２０ｆには、支持片２０ｇと同様、基部２２ａの回動軸２２ｂを回動可能に支持する２枚の支持片２０ｊが突設されている。また、筐体天板２０ｆは、平面視で規制アーム２２の基部２２ａ、途中部分２２ｃ及び係合突起２２ｄに倣う逆Ｌ字状の開口部２０ｋが形成されており、開口部２０ｋの側壁２０ｃ側には、鉤状規制部２０ｌが突設されていて、鉤状規制部２０ｌは、規制アーム２２の上方への回動を規制している。
【００４７】
搬送体天板２３ａは、装着搬送体２３が正面側移動端に位置している場合に規制アーム２２と上下一致する箇所に、可撓性舌片２３ｄが曲成されおり、可撓性舌片２３ｄの先端の下方には、押圧保持部が設けられている。
【００４８】
また、搬送体天板２３ａは、可撓性舌片２３ｄを曲成することで形成された孔部の先端側から横方向内側へ連続していて、係合突起２２ｄが係脱する矩形の係合孔２３ｅが形成されている。装着搬送体２３が正面側移動端に位置している場合、規制アーム２２の係合突起２２ｄが係合孔２３ｅに係合して装着搬送体２３の移動を規制し、規制アーム２２の感知爪２２ｆが可撓性舌片２３ｄの先端部に当接する。
【００４９】
このように構成された記憶媒体装着装置２の動作を説明する。
図１４乃至図１６は、記憶媒体装着装置２による記憶媒体３の装着動作の説明図である。以下、規制アーム２１の動作を説明するが、規制アーム２２の動作も同様である。
【００５０】
図１４に示すように、装着搬送体２３が正面側移動端に位置していて、記憶媒体３を装着していない場合、可撓性舌片２３ｂは背面側下方へ傾斜した非変形状態にある。規制アーム２１の係合突起２１ｄは、搬送体天板２３ａの係合孔２３ｃに係合し、装着搬送体２３の前後方向の移動は規制される。
従って、挿入口２０ｄから異物が挿入されて装着搬送体２３が背面側へ押圧された場合であっても、装着搬送体２３は背面側へ移動しない。
【００５１】
次に、記憶媒体３が挿入口２０ｄから挿入され、図１５に示すように、装着搬送体２３に進入した場合、押圧保持部２６が、可撓性舌片２３ｂの付勢力に逆らって記憶媒体３の挿入に応動し、上方へ持ち上げられる。押圧保持部２６と共に可撓性舌片２３ｂが上方へ変位した場合、可撓性舌片２３ｂに当接している感知爪２１ｆも上方へ持ち上げられ、規制アーム２１が上方へ回動する。規制アーム２１が上方へ回動した場合、係合突起２１ｄが搬送体天板２３ａの係合孔２３ｃから脱離し、装着搬送体２３の移動規制が解除される。つまり、装着搬送体２３は、前後方向へ移動可能な状態になる。
【００５２】
押圧されて装着搬送体２３が背面側の所定位置まで移動した場合、搬送機構２５が動作して装着搬送体２３は、背面側へ搬送される。装着搬送体２３が背面側へ移動した場合、感知爪２１ｆは、可撓性舌片２３ｂ及び搬送体天板２３ａ上を摺動する。図１６に示すように、感知爪２１ｆの先端が搬送体天板２３ａの正面端部を通過した場合、規制アーム２１は、感知爪２１ｆ及び係合突起２１ｄの傾斜面２１ｇを搬送体天板２３ａの正面端部に当接させながら下方へ回動する。更に装着搬送体２３が背面側へ移動し、傾斜面２１ｇが搬送体天板２３ａから離れた場合、規制アーム２１の途中部分２１ｃが筐体天板２０ｆに対して略平行になった状態で規制片２１ｈが筐体天板２０ｆに当接し、規制アーム２１の下方への回動が規制される。
【００５３】
次に、装着搬送体２３が背面側から正面側へ移動する場合を説明する。
装着搬送体２３が背面側から正面側へ移動した場合、感知爪２１ｆ及び係合突起２１ｄの傾斜面２１ｇに搬送体天板２３ａの正面端部が当接し、係合突起２１ｄは搬送体天板２３ａ上へ持ち上げられる。更に、装着搬送体２３が正面側移動端まで移動し、記憶媒体３が取り出された場合、可撓性舌片２３ｂは付勢力によって下方へ移動し、規制アーム２１も下方へ回動する。そして、係合突起２１ｄが搬送体天板２３ａの係合孔２３ｃに係合し、装着搬送体２３の前後方向の移動が再び規制される。
【００５４】
このように構成された再生装置１及び記憶媒体装着装置２にあっては、記憶媒体３を装着していない装着搬送体２３の移動を規制することができ、装着搬送体２３の誤動作を防止することができる。
【００５５】
また、記憶媒体３の挿入に応動して規制アーム２１、２２による移動規制を解除する可撓性舌片２３ｂ、２３ｄを、搬送体天板２３ａと一体形成し、更に可撓性舌片２３ｂ、２３ｄを記憶媒体３の押圧保持に兼用しているため、低コストで移動規制を解除する手段を構成することができる。
【００５６】
更に、規制アーム２１、２２及び可撓性舌片２３ｂ、２３ｄを横方向両側に２組設けているため、１組の規制アーム及び可撓性舌片を備えた記憶媒体装着装置２に比べて、異物の挿入に対する装着搬送体２３の誤作動をより効果的に防止することができる。
【００５７】
実施の形態１にあっては、２組の規制アーム及び可撓性舌片を備えているが、３組以上の規制アーム及び可撓性舌片を備えても良い。
【００５８】
また、ｉＶＤＲを着脱する記憶媒体装着装置を説明したが、筐体を備えた他の記憶媒体を着脱するように構成しても良い。
【００５９】
更に、規制アームの形状は、図７及び図１３に示した形状に限定されず、一端側が回動可能に構成されており、装着搬送体に係合する係合部を他端側に備えていれば、他の形状出会っても良い。
【００６０】
更にまた、記憶媒体の挿入に応動して変位する可撓性舌片を備えているが、記憶媒体が挿入された場合に変位し、規制アームを回動させることができれば、他の構成であっても良い。
【００６１】
（実施の形態２）
図１７は、実施の形態２に係る装着搬送体２３の略示平面図、図１８は、記憶媒体３の略示斜視図である。実施の形態２に係る再生装置１及び記憶媒体装着装置２は、規制アーム２１、２２及び可撓性舌片２３ｂ，２３ｄの配置のみが実施の形態１に係る記憶媒体装着装置２と異なるため、以下では主に上記相違点を説明する。
【００６２】
実施の形態２に係る記憶媒体装着装置２が装着する記憶媒体３は、ｉＶＤＲであり、図１８に示すようにカートリッジの寸法が規格化されている。カートリッジの横幅Ｗは、８０．００ｍｍ、縦幅Ｄは６７．００ｍｍ、厚みＨは１０．００ｍｍである。
【００６３】
搬送体天板２３ａの横方向における可撓性舌片２３ｂ、２３ｄ間の距離（Ｄ＋α）は、記憶媒体３の横幅Ｗより短く、縦幅Ｄよりも長くなるように設定されている。また、規制アーム２１、２２間も同様の距離を隔てており、感知爪２１ｆ、２２ｆが可撓性舌片２３ｂ、２３ｄに当接している。
【００６４】
このように構成された記憶媒体装着装置２にあっては、記憶媒体３が縦横逆に挿入された場合、可撓性舌片２３ｂ、２３ｄの両方が記憶媒体３によって押し上げられることがないため、係合突起２１ｄ、２２ｄの少なくとも一つが係合孔２３ｃ、２３ｅに係合し、装着搬送体２３の移動が規制される。
【００６５】
従って、挿入方向を誤って記憶媒体３が挿入された場合であっても、装着搬送体２３の誤作動を防止することができる。
【００６６】
実施の形態２に係る記憶媒体装着装置２の他の構成、作用及び効果は、実施の形態１に係る記憶媒体装着装置２と同様であるため、対応する箇所には同様の符号を符して詳細な説明を省略する。
【００６７】
（実施の形態３）
図１９は、実施の形態３に係る記憶媒体装着装置２の要部を示す略示斜視図、図２０は、記憶媒体装着装置２の要部を示す略示分解斜視図、図２１は、筐体天板３２０ｆの底面図である。実施の形態３に係る記憶媒体装着装置２は、規制アーム３２１，３２２の構成が実施の形態１に係る記憶媒体装着装置２と異なるため、以下では主に上記相違点を説明する。
【００６８】
実施の形態３に係る記憶媒体装着装置２を構成する筐体天板３２０ｆの正面側における横方向両端側には、装着搬送体２３の移動を規制する規制アーム３２１、３２２が設けられている。
以下、図１９中、筐体天板３２０ｆの右側に設けられた一の規制アーム３２１について説明する。
【００６９】
図２２は、記憶媒体装着装置の内側下方から見た一の規制アーム３２１の略示斜視図である。
規制アーム３２１は、基部３２１ａが筐体天板３２０ｆに一体形成されており、可撓性を有する板状の途中部分３２１ｃが背面側へ延設されている。
【００７０】
規制アーム３２１の先端部には、横方向内側及び下方へ適宜長延設されており、装着搬送体２３に係合して装着搬送体２３の移動を規制する板状の係合突起３２１ｄが形成されている。
【００７１】
また、規制アーム３２１の先端部には、係合突起３２１ｄの下面より更に下方へ延設されており、記憶媒体３の装着を感知するための感知爪３２１ｆが形成されている。感知爪３２１ｆは、側面視において、下方に湾曲した頂点を有する三角形状である。
【００７２】
筐体天板３２０ｆには、平面視で規制アーム３２１の基部３２１ａ、途中部分３２１ｃ及び係合突起３２１ｄに倣う逆Ｌ字状の開口部３２０ｈが形成されており、係合突起３２１ｄ及び感知爪３２１ｆが筐体天板３２０ｆより下方内側に進入している。
【００７３】
図２３は、記憶媒体装着装置の内側下方から見た他の規制アーム３２２の略示斜視図である。
規制アーム３２２は、規制アーム３２１と左右対称であり、規制アーム３２１と同様の基部３２２ａ、途中部分３２２ｃ、係合突起３２２ｄ、感知爪３２２ｆを有している。
【００７４】
また、筐体天板３２０ｆには、開口部３２０ｈと左右対称形の開口部３２０ｋが形成されている。
【００７５】
このように構成された再生装置１及び記憶媒体装着装置２にあっては、規制アーム３２１、３２２の一端側に回動軸及び支持片からなる回動機構を備える場合に比べて、低コストでしかも寸法を小さく構成することができる。
【００７６】
また、記憶媒体装着装置２の姿勢に関わらす、装着搬送体２３の移動を規制することができる。更に、耐振動性を備えることができる。
【００７７】
実施の形態３に係る記憶媒体装着装置２の他の構成、作用及び効果は、実施の形態１に係る記憶媒体装着装置２と同様であるため、対応する箇所には同様の符号を符して詳細な説明を省略する。
【図面の簡単な説明】
【００７８】
【図１】本発明の実施の形態１に係る再生装置の略示斜視図である。
【図２】記憶媒体装着装置の要部を示す略示斜視図である。
【図３】記憶媒体装着装置の要部を示す略示分解斜視図である。
【図４】記憶媒体装着装置の要部を示す略示分解斜視図である。
【図５】記憶媒体装着装置の略示分解平面図である。
【図６】記憶媒体装着装置の外側上方から見た一の規制アームの略示斜視図である。
【図７】規制アームの略示斜視図である。
【図８】筐体内部の上方から見た規制アームの略示斜視図である。
【図９】筐体内部の背面側から見た規制アームの略示斜視図である。
【図１０】装着搬送体を構成する搬送体天板の略示平面図である。
【図１１】記憶媒体装着装置の外側上方から見た他の規制アームの略示斜視図である。
【図１２】筐体内部の上方から見た規制アームの略示斜視図である。
【図１３】規制アームの略示斜視図である。
【図１４】記憶媒体装着装置による記憶媒体の装着動作の説明図である。
【図１５】記憶媒体装着装置による記憶媒体の装着動作の説明図である。
【図１６】記憶媒体装着装置による記憶媒体の装着動作の説明図である。
【図１７】実施の形態２に係る装着搬送体の略示平面図である。
【図１８】記憶媒体の略示斜視図である。
【図１９】実施の形態３に係る記憶媒体装着装置の要部を示す略示斜視図である。
【図２０】記憶媒体装着装置の要部を示す略示分解斜視図である。
【図２１】筐体天板の底面図である。
【図２２】記憶媒体装着装置の内側下方から見た一の規制アームの略示斜視図である。
【図２３】記憶媒体装着装置の内側下方から見た他の規制アームの略示斜視図である。
【符号の説明】
【００７９】
１  再生装置
２  記憶媒体装着装置
３  記憶媒体
１０  収容体
２０  筐体
２０ｄ  挿入口
２０ｅ  正面壁
２０ｆ  筐体天板
２０ｇ，２０ｊ  支持片
２０ｈ，２０ｋ  開口部
２０ｉ，２０ｌ  鉤状規制部
２１，２２  規制アーム
２１ｄ，２１ｄ  係合突起
２１ｆ，２１ｆ  感知爪
２３  装着搬送体
２３ａ  搬送体天板
２３ｂ，２３ｄ  可撓性舌片
２３ｃ，２３ｅ  係合孔
２４  接続部
２５  搬送機構
２５ａ、２５ｂ  案内レール
２６  押圧保持部
【図１】
2007323780.tif 000003
【図２】
2007323780.tif 000004
【図３】
2007323780.tif 000005
【図４】
2007323780.tif 000006
【図５】
2007323780.tif 000007
【図６】
2007323780.tif 000008
【図７】
2007323780.tif 000009
【図８】
2007323780.tif 000010
【図９】
2007323780.tif 000011
【図１０】
2007323780.tif 000012
【図１１】
2007323780.tif 000013
【図１２】
2007323780.tif 000014
【図１３】
2007323780.tif 000015
【図１４】
2007323780.tif 000016
【図１５】
2007323780.tif 000017
【図１６】
2007323780.tif 000018
【図１７】
2007323780.tif 000019
【図１８】
2007323780.tif 000020
【図１９】
2007323780.tif 000021
【図２０】
2007323780.tif 000022
【図２１】
2007323780.tif 000023
【図２２】
2007323780.tif 000024
【図２３】
2007323780.tif 000025